(57)【要約】【課題】バイオリン族の弦楽器について、観客等には音程を示す印であるとは認識されず、演奏者は一瞥により所定の音程に対応する印であることを識別でき、弦楽器の演奏に支障が生じず、正式のバイオリン族の弦楽器と認められる態様の、音程を示す印を付した指板を提供する。【解決手段】バイオリンの指板であって、開放弦の音高から上向きに８個の音程対が音程セットとして選択され、選択された各音程に対応するバイオリン５０の指板１０の押さえ位置に、バイオリン５０の弦の方向に直交する帯状の音程表示領域２０Ａ〜２０Ｈが形成されている。そして、音程表示領域２０Ａ〜２０Ｈは指板１０とは色彩が異なる構成とされ、目視により識別することができ、音程表示領域２０Ａ〜２０Ｈの表面は指板１０の表面に対して面一の構成とされている。【選択図】図１
2010078656.tif 000002
【特許請求の範囲】
【請求項１】
フレットのない弦楽器の指板であって、
音程の間隔が一定でない所定の複数の音程が音程セットとして選択され、選択された各音程に対応する指板の押さえ位置に、弦楽器の弦の方向に直交する帯状の音程表示領域が形成されており、
前記音程表示領域は指板とは色彩が異なる構成とされ、該音程表示領域を目視により識別することができ、該音程表示領域の表面は指板の表面に対して面一の構成とされている弦楽器の指板。
【請求項２】
請求項１に記載の弦楽器の指板であって、
前記音程セットには、開放弦の基音から１オクターブ上の音程は必ず含まれており、
開放弦の基音からオクターブ単位で上の音程に対応する音程表示領域は、他の音程表示領域よりも幅広に形成されている弦楽器の指板。
【請求項３】
請求項１または請求項２に記載の弦楽器の指板であって、
前記弦楽器はバイオリン族の弦楽器であり、前記音程セットとして選択された音程の数は８個であり、該音程セットを構成する音程は開放弦の基音からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、及び（完全８度＋完全５度）上もしくは（完全８度＋減６度）上の音程である、弦楽器の指板。
【請求項４】
請求項１〜請求項３のいずれかの請求項に記載の弦楽器の指板であって、
前記音程表示領域が指板と色彩が異なる所定の幅の板材を指板にはめ込んだはめ木細工により形成されている弦楽器の指板。
【発明の詳細な説明】
【技術分野】
【０００１】
この発明は弦楽器の指板に関する。さらに詳しくは、バイオリン、チェロ、三味線等のフレットのない弦楽器の指板であって、所定の音程に対応する指板の押さえ位置を目視により識別できる音程表示領域が形成された指板に関する。
【背景技術】
【０００２】
バイオリン、ビオラ、三味線等の弦楽器は、滑らかでフレットのない指板を備えている。これらのフレットのない弦楽器の演奏を習得する場合の本質的な困難さとして、所望の音程の音を出すために、指板のどの位置で弦を押さえれば良いかを示す印がないことがあげられる。そのため、弦を指で正しく押さえて所望の音程の音を正確に出すことができるようになるためには相当の練習を重ねることが必要となる場合がある。
【０００３】
ところで、ギターやマンドリン等のフレット付きの弦楽器では、弦がフレットの縁部に接触するように弦を指板に押さえ付けることで所望の音程の音を正確に出すことができる。そのため所望の音程の音を正確に出すことに特別の困難さはない。そこで、ギター等に用いられるフレットと同様のフレットをバイオリン等のフレットのない弦楽器の指板に指板の押さえ位置の印として付加すれば、弦を指で押さえる位置の把握が容易となる。
【０００４】
しかし、ギター等に用いられるフレットは、弦をフレットの縁部に接触するように押さえ付けて弦の振動の端点をフレットが形成された位置とする方式で使用されるため、フレットが指板から突起した構造となっている。一方、バイオリン等のフレットのない弦楽器は、通常は、指先を弦の上で滑らせて指板に対して指先を素早く動かす形態で演奏されるため、指板から突起したフレットは演奏の障害となってしまう。また、ビブラートを演奏することができなくなり、調子を繊細に変えることも不可能となる。
【０００５】
そこで、ギター等に用いられるフレットとは異なる構成によって、バイオリンに対する指板の押さえ位置を識別させる方法が提案されている。
例えば、特開平７−５８７１号公報（特許文献１）には、バイオリンの指板の指押さえ点に対応して指板に配置された複数の立ち上がり演奏領域を備えた弦楽器の指板が記載されている。特許文献１に記載の立ち上がり演奏領域は弦の下に位置する指板の頂面から０．５ミリ程度の高さとされ、弦の方向の幅が数ミリ程度とされている。そのため、立ち上がり演奏領域の指への引っかかりが少ない。そこで、演奏者は、バイオリンの滑らかな指板上で従来弦を指で押さえていたのと実質上同じ態様で、立ち上がり演奏領域の頂部を指で押さえることができる。そして、指を立ち上がり演奏領域に交差して指板上で動かすことができるので、演奏者はビブラートおよび調子の変化を従来と同様の態様で演奏することができるというものである。
【０００６】
また、米国特許第１，１２６，９５７号（特許文献２）には、バイオリンの指板の上面と面一を成し、視覚及び触覚により識別が可能な指位置指示器が記載されている。特許文献２に記載の指位置指示器は、骨材で構成された細長い部材が、上面が指板と面一になるように指板に埋め込まれたものであって、指板と色彩が異なるために視覚による識別が可能とされている。また、指位置指示器は指板と材質が異なるため触感が異なるので触覚によっても識別が可能とされている。そして、特許文献２の指位置指示器は指板と面一の構成であるため、指先を弦の上で滑らせて指板に対して指先を素早く動かす演奏形態に対して支障がないものと考えられる。
【特許文献１】特開平７−５８７１号公報
【特許文献２】米国特許第１，１２６，９５７号
【発明の開示】
【発明が解決しようとする課題】
【０００７】
しかしながら、特許文献１に記載の立ち上がり演奏領域は、指板上に突起が形成されていることには変わりがなく、指先を指板上ですばやく動かす演奏形態に支障となると考えられる。よって、立ち上がり演奏領域を指板に備えたバイオリンは、もはや正式のバイオリンとは言えないであろう。そのため、練習用に使用することはできるとしても、コンクールや実技試験で使用することは認められないであろう。
【０００８】
そして、特許文献１に記載の立ち上がり演奏領域は２オクターブの半音階の２４音に対応した指板の押さえ位置に設けられており、立ち上がり演奏領域の間隔が駒側に向かって徐々に狭くなるという規則性が認められる。そのため、観客等に、立ち上がり演奏領域が音程を示す印であることが判ってしまう。また、特許文献２に記載の指位置指示器についても、指位置指示器の間隔が駒側に向かって徐々に狭くなるという規則性から、指位置指示器が音程を示す印であることが判ってしまう。そして、特許文献２の指位置指示器は視覚により指板との識別が可能な態様であるため目立ちやすい。そのため、従来技術では、演奏者に、音程を示す印は使いたいが、観客等には音程を示す印を使っていることは知られたくないというジレンマが生じる。
【０００９】
また、特許文献１の立ち上がり演奏領域も、特許文献２の指位置指示器も、音程を示す印の数が２０個以上と多く、間隔が規則的であり、印の幅は規則的に狭くなるかまたは同一の幅とされている。そのため、どの印がどの音程に対応するものであるかを一瞥で識別することが困難なこともある。
【００１０】
そこで、本発明が解決しようとする課題は、フレットの無い弦楽器について、観客等には音程を示す印であるとは認識されず、演奏者は一瞥により所定の音程に対応する印であることを識別でき、弦楽器の演奏に支障が生じず、正式の弦楽器と認められる態様の、音程を示す印を付した指板を提供することである。
【課題を解決するための手段】
【００１１】
上記課題を解決するため、本発明にかかる弦楽器の指板は次の手段をとる。
まず、本発明の第１の発明は、フレットのない弦楽器の指板であって、
音程の間隔が一定でない所定の複数の音程が音程セットとして選択され、選択された各音程に対応する指板の押さえ位置に、弦楽器の弦の方向に直交する帯状の音程表示領域が形成されており、
前記音程表示領域は指板とは色彩が異なる構成とされ、該音程表示領域を目視により識別することができ、該音程表示領域の表面は指板の表面に対して面一の構成とされている。
【００１２】
この第１の発明によれば、音程の間隔が一定でない所定の複数の音程が音程セットとして選択され、選択された各音程に対応する指板の押さえ位置に、弦楽器の弦の方向に直交する帯状の音程表示領域が形成されているため、音程表示領域の間隔に規則性が認められない。そして、音程表示領域は指板とは色彩が異なる構成とされているので、音程表示領域を目視により識別することができる。
ここで、音程表示領域の間隔に規則性がないため、音程表示領域は観客等には指板に施された装飾的な縞模様と映り、音程を示す印であるとは認識されない。一方、音程表示領域の間隔に規則性がないため、演奏者には個々の音程表示領域の識別が可能となり、演奏者は一瞥により所定の音程に対応した指板の押さえ位置を確認することができる。
そして、音程表示領域の表面は指板の表面に対して面一の構成とされているので、音程表示領域に指が引っかかることがない。そのため、指先を弦の上で滑らせて指板に対して指先を素早く動かすことが必要とされる弦楽器の演奏に支障が生じないので、演奏表示領域が形成された指板を備える弦楽器は、正式の弦楽器として認められる。
【００１３】
次に、本発明の第２の発明は、上記第１の発明に係る弦楽器の指板であって、
前記音程セットには、開放弦の基音から１オクターブ上の音程は必ず含まれており、
開放弦の基音からオクターブ単位で上の音程に対応する音程表示領域は、他の音程表示領域よりも幅広に形成されている。
この第２の発明によれば、開放弦の基音からオクターブ単位で上の音程に対応する指板の押さえ位置には他の音程表示領域よりも幅広の音程表示領域が形成されている。よって、オクターブ単位での指板の押さえ位置が容易に把握できるため、他の音程表示領域の音程の把握も容易となる。
【００１４】
次に、本発明の第３の発明は、上記第１の発明または第２の発明に係る弦楽器の指板であって、
前記弦楽器はバイオリン族の弦楽器であり、前記音程セットとして選択された音程の数は８個であり、該音程セットを構成する音程は開放弦の基音からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、及び（完全８度＋完全５度）上もしくは（完全８度＋減６度）上の音程である。
【００１５】
この第３の発明によれば、音程セットとして選択された８個の音程は間隔が一定ではないので、各音程に対応する指板の押さえ位置に形成される音程表示領域は、指板上で間隔に規則性のない縞模様を形成する。よって、音程表示領域は観客等には指板に施された装飾的な縞模様と映り、音程を示す印であるとは認識されない。
そして、これら８個の音程からなる音程セットは、発明者がバイオリン族の弦楽器の特性に鑑みて厳選して選択したものであって、演奏者は、指板を一瞥するだけで、８個の音程に対応する指板の押さえ位置を確認することができ、バイオリン族の楽器の演奏において、正確な音程を取れるようになる。そして、演奏者はいつでも８個の音程に対応する指押さえ位置を目視により確認できるため心理的に安心感をもつことができる。
【００１６】
次に、本発明の第４の発明は、上記第１の発明〜第３の発明のいずれかの発明に係る弦楽器の指板であって、
前記音程表示領域が指板と色彩が異なる所定の幅の板材を指板にはめ込んだはめ木細工により形成されている。
この第４の発明によれば、音程表示領域が指板と色彩が異なる所定の幅の板材を指板にはめ込んだはめ木細工により形成されているので、目視により所定の音程に対応する指板の押さえ位置を識別することができる。
【発明の効果】
【００１７】
上述の本発明によれば、フレットの無い弦楽器について、観客等には音程を示す印であるとは認識されず、演奏者は一瞥により所定の音程に対応する印であることを識別でき、弦楽器の演奏に支障が生じず、正式の弦楽器と認められる態様の、音程を示す印を付した指板を提供することができる。
【発明を実施するための最良の形態】
【００１８】
以下、本発明を実施するための最良の形態について実施例にしたがって説明する。
【００１９】
図１に本発明の一実施例における指板１０を備えたバイオリン５０の平面図を示す。図１に示すとおり、指板１０には音程表示領域２０Ａ、２０Ｂ、２０Ｃ、２０Ｄ、２０Ｅ、２０Ｆ、２０Ｇ、２０Ｈが形成されている。これら８個の音程表示領域は、音程の間隔が一定でない８個の音程からなる音程セットとして発明者が選択した各音程に対応する指板１０の指押さえ位置に形成されたものである。表１に音程セットとして選択した各音程と指板１０の指押さえ位置の対応関係を示す。なお、表１の各音程には２つの音程表記をしているが、２つの音程は、一般に「微分音」分の音程差があり、どの調律を選択するかにより音程差は変動する。そして、平均律を選択した場合には「微分音」分の音程差がないので表１の２つの音程は一致する。
【表１】
2010078656.tif 000003
【００２０】
図２（Ａ）〜図２（Ｈ）に、上記８個の音程からなる音程セットを「Ｌａの弦」について記譜したものを示す。図２（Ａ）〜図２（Ｈ）には各々２つの音符が記譜されているが、これらの２つの音符は、表１の２つの音程表記に対応し、上述の「微分音」分の音程差がある。そして、表１において並記された音程は実際の楽譜を見ることによって、どちらが該当しているのかがわかる。
図２（Ａ）に記譜の音程に対応する指板１０の押さえ位置が音程表示領域２０Ａであり、符号のＡ〜Ｈにより図面の記譜と音程表示領域がそれぞれ対応する。音程セットで選択した音程は上述のとおり「微分音」分の音程差がある２つの音程を含むので、音程表示領域２０Ａ〜２０Ｈは、２つの音程に対応する指板１０の押さえ位置を領域内部に含むように指板１０上の配置位置が決定される。なお、平均律の場合は「微分音」の音程差がないので、各音程表示領域の幅の中点が表１の音程の音を発するように各音程表示領域を定めると良い。
【００２１】
図３に、音程表示領域２０Ａ〜２０Ｈの指板１０上の寸法による位置を示す。この寸法は表１に示した音程セットの各音程に対応する指板１０の押さえ位置に音程表示領域２０Ａ〜２０Ｈを形成した一実施例における数値であり、寸法の単位はｍｍである。上駒１２と音程表示領域２０Ａの間隔は３３ｍｍである。そして、音程表示領域は原則として弦に直交する方向に２ｍｍの幅を有している。但し、開放弦の基音から１オクターブ上もしくは増７度上の音程に対応する音程表示領域２０Ｅの幅は４ｍｍとされている。開放弦の基音から１オクターブ上もしくは増７度上の音程に対応する音程表示領域２０Ｅの幅を他の２倍としているため、目視による一瞥で各音程表示領域がどの音程に対応するかの把握がしやすくなっている。
なお、音程表示領域２０Ａ〜２０Ｈの位置は、選択した音程に対応する指板の押さえ位置を聴覚または音の周波数を表示できるチューナーにより探り当てて決める性質のものであり、演奏者の好みの調律に調整する余地もあるため、一実施例の寸法位置に限定されるものではない。演奏者の好みの調律によっては、２つの音程に対応する指板１０の押さえ位置が２ｍｍの幅に収まらない場合もある。そのときは、２ｍｍとした音程表示領域の幅を広げ、これらとの幅の違いが一瞥してわかる程度に４ｍｍとした音程表示領域の幅を広げても良い。
【００２２】
指板１０は茶褐色の木材で形成されている。そして、音程表示領域２０Ａ〜２０Ｈは、指板１０と材質および触感が同一で色彩が指板１０よりも明るい木製の板材を指板１０にはめ込んだはめ木細工により形成されている。そして、指板１０は、音程表示領域２０Ａ〜２０Ｈの表面が指板１０の表面に対して面一の構成に仕上げられている。なお、音程表示領域のはめ込みの深さは一実施例では２ｍｍとしている。
【００２３】
この一実施例によれば、音程の間隔が一定でない８個の音程が音程セットとして選択され、選択された各音程に対応する指板１０の押さえ位置に、バイオリン５０の弦の方向に直交する帯状の音程表示領域２０Ａ〜２０Ｈが形成されている。そして、図１に示すとおり、音程表示領域の間隔に規則性が認められない。そして、音程表示領域２０Ａ〜２０Ｈは指板１０とは色彩が異なる構成とされており、音程表示領域２０Ａ〜２０Ｈを目視により識別することができる。そのため、音程表示領域２０Ａ〜２０Ｈは観客等には指板１０に施された装飾的な縞模様と映り、音程を示す印であるとは認識されない。一方、演奏者は、音程表示領域２０Ａ〜２０Ｈを所定の音程に対応した指板１０の押さえ位置の目印として利用することができる。
そのため、演奏者が演奏中に何らかのアクシデントで音をはずした場合、一瞬目を指板１０にやるだけで、直ちにまた正確な音がとれるようになる。そして、それ故に指板１０に音程表示領域２０Ａ〜２０Ｈが形成されたバイオリン５０を弾いているというだけで、心理的な安心感を持つことができる。また、音程表示領域２０Ａ〜２０Ｈは、観客等には指板１０の風変わりな模様としか映らないため、心理的な抵抗感は生じない。
【００２４】
そして、音程表示領域２０Ａ〜２０Ｈの表面は指板の表面に対して面一の構成とされているので、音程表示領域２０Ａ〜２０Ｈに指が引っかかることがない。そのため、指先を弦の上で滑らせて指板１０に対して指先を素早く動かすことが必要とされるバイオリン５０の演奏に支障を生じない。
そして、音程表示領域２０Ａ〜２０Ｈの表面は指板の表面に対して面一の構成とされ、音程表示領域２０Ａ〜２０Ｈは指板と同質で色が異なる素材で形成されている。そのため、音程表示領域２０Ａ〜２０Ｈが形成された指板１０は通常の指板に比べて音程表示領域２０Ａ〜２０Ｈにより模様が形成さているに過ぎない。よって、音程表示領域２０Ａ〜２０Ｈが形成された指板１０を備えるバイオリン５０は、正式のバイオリンと認めることができるものである。
【００２５】
そして、音程表示領域２０Ａ〜２０Ｈは指板１０と同質の素材で形成されているので、音程表示領域２０Ａ〜２０Ｈは指板上で触感によっては識別されず、指板１０に対して指先をすばやく動かす時に異物感がない。
【００２６】
一実施例では、８個の音程を音程セットとして選択して、指板１０に音程表示領域２０Ａ〜２０Ｈを形成したが、さらに、開放弦の基音から（完全８度＋増７度）上または２オクターブ上の音程を追加選択してもよい。図４に、この追加選択した音程に対応する指板の押さえ位置に音程表示領域２０Ｉを追加形成した指板１０Ａを備えるバイオリン５０Ａの平面図を示す。そして、図５に開放弦の基音から（完全８度＋増７度）上または２オクターブ上の音程を「Ｌａの弦」について記譜したものを示す。
音程表示領域２０Ｉは、音程表示領域２０Ｈとの間隔が２６ｍｍとされ、音程表示領域２０Ｉの弦方向の幅は４ｍｍとされている。このように、開放弦の基音からオクターブ単位で上の音程に対応する音程表示領域を他の音程表示領域よりも幅広にすることにより、指板の押さえ位置の把握が一層容易となる。
【００２７】
上述の一実施例では、指板１０と触感が同一で色彩が異なる音程表示領域２０Ａ〜２０Ｈを寄せ木細工により形成したが、音程表示領域２０Ａ〜２０Ｈの形成方法は寄せ木細工に限られない。通常の指板について、音程表示領域に相当する範囲のみを露出して紫外線等の照射により音程表示領域を脱色することで指板と異なる色彩の音程表示領域を形成することもできる。また、通常の指板の音程表示領域に相当する範囲を覆って指板全体に紫外線等を照射して、指板と色彩の異なる音程表示領域を形成することもできる。また、水性又は油性のマジックペン等で指板の音程表示領域に相当する範囲を着色しても良いし、指板の音程表示領域に相当する範囲以外を着色しても良い。
【００２８】
上述の一実施例では音程表示領域に指板と同質の素材を用いて触感まで同一としている。しかし、触感まで同一でなくても、音程表示領域の表面が指板の表面に対して面一の構成であれば、バイオリンの演奏には支障がないので、正式のバイオリンとして認められる。そこで、指板と色彩の異なる材料を埋め込んで音程表示領域を形成する場合は、埋め込む材料は指板と同質でなくても良い。指板が木材の場合にはめ込む材料としては、木材の他に、牛の骨、貝殻、石、プラスチック等を用いることができる。
また、指板の音程表示領域に相当する範囲に極細の径のドリルで多数の微小な孔を空けて、その孔にチョーク等の粉を詰め込んで音程表示領域を形成することもできる。
【００２９】
上述の一実施例では、バイオリンの指板に対して選択する８個の音程を示したが、これらの８個の音程は、バイオリン族の弦楽器である、バイオリン、ビオラ、チェロ、コントラバスについて共通して選択される音程である。なお、弦楽器の種類によって選択された音程に対応する音程表示領域が形成される位置の間隔は異なってくる。また、音程表示領域の幅は弦楽器の大きさに対応させて広くしてもよい。
【００３０】
発明者は、一実施例で示した８個の音程に対応させて形成した音程表示領域を、尾形ダイアグラムと名付けている。そして、指板に尾形ダイアグラムが付されたバイオリン族の弦楽器を、尾形ダイアグラム付バイオリン、尾形ダイアグラム付ビオラ、尾形ダイアグラム付チェロ、尾形ダイアグラム付コントラバスと呼んでいる。
尾形ダイアグラムは、上述のとおり、観客等には風変わりな模様に見え、演奏者には所定の音程に対する指板の押さえ位置を的確に示すものである。そして、指板と面一のため演奏に支障が生じることが無く、バイオリン族の弦楽器の演奏を習得する人や、バイオリン族の弦楽器を演奏する人の助けとなるものである。
【００３１】
本発明は、バイオリン族以外のフレットのない弦楽器、例えば三味線についても適用することができる。三味線の場合はその特性に合わせて、三味線を演奏する上で重要な複数の音程を音程の間隔が一定とならないように音程セットとして選択する。そして、選択された各音程に対応する指板の押さえ位置に、三味線の弦の方向に直交する帯状の音程表示領域を、例えば填め木細工により指板と面一に形成する。この方法によれば、音程表示領域は観客等には指板に施された装飾的な縞模様と映り、音程を示す印であるとは認識されない。一方、演奏者は、音程表示領域を所定の音程に対応した指押さえ位置の目印として利用することができる。
その他、本発明に係る弦楽器の指板はその発明の思想の範囲で、各種の形態で実施できるものである。
【図面の簡単な説明】
【００３２】
【図１】一実施例における指板を備えたバイオリンの平面図である。
【図２】一実施例における指板について選択された音程を「Ｌａの弦」について記譜した図である。
【図３】一実施例における指板の音程表示領域の指板上での寸法位置を示す図である。
【図４】変形実施例における指板を備えたバイオリンの平面図である。
【図５】変形実施例で追加した音程を「Ｌａの弦」について記譜した図である。
【符号の説明】
【００３３】
１０、１０Ａ  指板
１２   上駒
２０Ａ、２０Ｂ、２０Ｃ、２０Ｄ     音程表示領域
２０Ｅ、２０Ｆ、２０Ｇ、２０Ｈ     音程表示領域
２０Ｉ 音程表示領域
５０、５０Ａ  バイオリン
【図１】
2010078656.tif 000004
【図２】
2010078656.tif 000005
【図３】
2010078656.tif 000006
【図４】
2010078656.tif 000007
【図５】
2010078656.tif 000008
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
バイオリン族の弦楽器の指板であって、
開放弦の音高から上向きに複数の音程が音程セットとして選択され、各音程の間隔はよく知られた音階に対応する規則性を有するものではなく、選択された各音程に対応する指板の押さえ位置に、バイオリン族の弦楽器の弦の方向に直交する帯状の音程表示領域が形成されており、
前記音程表示領域は指板とは色彩が異なる構成とされ、該音程表示領域を目視により識別することができ、該音程表示領域の表面は指板の表面に対して面一の構成とされており、
前記音程セットには、開放弦の音高からの音程が１オクターブ上及び２オクターブ上となる音程は必ず含まれており、
開放弦の音高からオクターブ単位で上の音程に対応する音程表示領域は、他の音程表示領域よりも幅広に形成されているバイオリン族の弦楽器の指板。
【請求項２】
請求項１に記載のバイオリン族の弦楽器の指板であって、
前記音程セットとして選択された音程の数は９個であり、該音程セットを構成する音程は開放弦の音高からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、（完全８度＋完全５度）上もしくは（完全８度＋減６度）上の音程、及び（完全８度＋増７度）上もしくは２オクターブ上の音程であり、
前記音程表示領域は、前記音程セットの各音程において選択可能な２つの音程のそれぞれに対応する指板の押さえ位置の双方を含んだ幅で形成されているバイオリン族の弦楽器の指板。
【手続補正２】
【補正対象書類名】明細書
【補正対象項目名】全文
【補正方法】変更
【補正の内容】
【発明の詳細な説明】
【技術分野】
【０００１】
この発明はバイオリン族の弦楽器の指板に関する。さらに詳しくは、バイオリン族の弦楽器の指板であって、所定の複数の音程に対応する指板の押さえ位置を目視により識別できる音程表示領域が形成された指板に関する。
本明細書では、「音程」の語は、「開放弦の音を５線上に記譜した時の音符からの隔たりを示すため、その音符から上方に向かって数えた到達点の音符までの音程」すなわち、開放弦の音高と所定の音高の、音の高さの間隔の意で用いる。よって、ある音程を特定すれば、開放弦の音高を基準として、その音程に対応する音高が決まる関係にある。
【背景技術】
【０００２】
バイオリン、ビオラ等の弦楽器は、滑らかでフレットのない指板を備えている。これらのフレットのない弦楽器の演奏を習得する場合の本質的な困難さとして、所望の音程の音を出すために、指板のどの位置で弦を押さえれば良いかを示す印がないことが挙げられる。そのため、弦を指で正しく押さえて所望の音程の音を正確に出すことができるようになるためには相当の練習を重ねることが必要となる場合がある。
【０００３】
ところで、ギターやマンドリン等のフレット付きの弦楽器では、弦がフレットの縁部に接触するように弦を指板に押さえ付けることで所望の音程の音を正確に出すことができる。そのため所望の音程の音を正確に出すことに特別の困難さはない。そこで、ギター等に用いられるフレットと同様のフレットをバイオリン等のフレットのない弦楽器の指板に指板の押さえ位置の印として付加すれば、弦を指で押さえる位置の把握が容易となる。
【０００４】
しかし、ギター等に用いられるフレットは、弦をフレットの縁部に接触するように押さえ付けて振動する弦の端点をフレットが形成された固定位置とする方式で使用されるため、フレットが指板から突起した構造となっている。一方、バイオリン等のフレットのない弦楽器は、通常は、指先を弦の上で滑らせて指板に対して指先を素早く動かす形態で演奏されるため、指板から突起したフレットは演奏の障害となってしまう。また、ビブラートを演奏する障害となる。
【０００５】
そこで、ギター等に用いられるフレットとは異なる構成によって、バイオリンに対する指板の押さえ位置を識別させる方法が提案されている。
例えば、特開平７−５８７１号公報（特許文献１）には、バイオリンの指板の指押さえ点に対応して指板に配置された複数の立ち上がり演奏領域を備えたバイオリンの指板が記載されている。特許文献１に記載の立ち上がり演奏領域は弦の下に位置する指板の表面から０．５ミリ程度の高さとされ、弦の方向の幅が数ミリ程度とされている。そのため、立ち上がり演奏領域の指への引っかかりが少ない。そこで、演奏者は、バイオリンの滑らかな指板上で従来弦を指で押さえていたのと実質上同じ態様で、立ち上がり演奏領域の頂部を指で押さえることができる。そして、指を立ち上がり演奏領域に交差して指板上で動かすことができるので、演奏者はビブラートを従来と同様の態様で演奏することができるというものである。
【０００６】
また、米国特許第１，１２６，９５７号（特許文献２）には、バイオリンの指板の表面と面一を成し、視覚及び触覚により識別が可能な指位置指示器が記載されている。特許文献２に記載の指位置指示器は、骨材で構成された細長い部材が、表面が指板と面一になるように指板に埋め込まれたものであって、指板と色彩が異なるために視覚による識別が可能とされている。また、指位置指示器は指板と材質が異なるため触感が異なるので触覚によっても識別が可能とされている。そして、特許文献２の指位置指示器は指板と面一の構成であるため、指先を弦の上で滑らせて指板に対して指先を素早く動かす演奏形態に対して支障がないものと考えられる。
【特許文献１】特開平７−５８７１号公報
【特許文献２】米国特許第１，１２６，９５７号
【発明の開示】
【発明が解決しようとする課題】
【０００７】
しかしながら、特許文献１に記載の立ち上がり演奏領域は、指板上に突起が形成されていることには変わりがなく、指先を指板上で素早く動かす演奏形態に支障となると考えられる。よって、立ち上がり演奏領域を指板に備えたバイオリンは、もはや正式のバイオリンとは言えないであろう。そのため、練習用に使用することはできるとしても、コンクールや実技試験で使用することは認められないであろう。
【０００８】
そして、特許文献１に記載の立ち上がり演奏領域は２オクターブにわたって半音音階の２４音に対応した指板の押さえ位置に設けられており、立ち上がり演奏領域の距離間隔が駒側に向かって徐々に狭くなるという規則性が認められる。そのため、観客等に、立ち上がり演奏領域が音程を示す印であることが判ってしまう。また、特許文献２に記載の指位置指示器についても、指位置指示器の距離間隔が駒側に向かって徐々に狭くなるという規則性から、指位置指示器が音程を示す印であることが判ってしまう。そして、特許文献２の指位置指示器は視覚により指板との識別が可能な態様であるため目立ちやすい。そのため、従来技術では、演奏者に、音程を示す印は使いたいが、観客等には音程を示す印を使っていることは知られたくないというジレンマが生じる。
【０００９】
また、特許文献１の立ち上がり演奏領域も、特許文献２の指位置指示器も、音程を示す印の数が２０個以上と多く、距離間隔に規則性があり、印間の幅は規則的に狭くなるかまたは同一と見えてしまうような幅とされている。そのため、どの印がどの音程に対応するものであるかを一瞥で識別することが困難なこともある。
【００１０】
そこで、本発明が解決しようとする課題は、バイオリン族の弦楽器について、観客等には音程を示す印であるとは認識されず、演奏者は一瞥により所定の音程に対応する印であることを識別でき、バイオリン族の弦楽器の演奏に支障が生じず、正式のバイオリン族の弦楽器と認められる態様の、音程を示す印を付した指板を提供することである。
【課題を解決するための手段】
【００１１】
上記課題を解決するため、本発明に係るバイオリン族の弦楽器の指板は次の手段をとる。
まず、本発明の第１の発明は、バイオリン族の弦楽器の指板であって、
開放弦の音高から上向きに複数の音程が音程セットとして選択され、各音程の間隔はよく知られた音階に対応する規則性を有するものではなく、選択された各音程に対応する指板の押さえ位置に、バイオリン族の弦楽器の弦の方向に直交する帯状の音程表示領域が形成されており、
前記音程表示領域は指板とは色彩が異なる構成とされ、該音程表示領域を目視により識別することができ、該音程表示領域の表面は指板の表面に対して面一の構成とされており、
前記音程セットには、開放弦の音高からの音程が１オクターブ上及び２オクターブ上となる音程は必ず含まれており、
開放弦の音高からオクターブ単位で上の音程に対応する音程表示領域は、他の音程表示領域よりも幅広に形成されている。
【００１２】
この第１の発明によれば、開放弦の音高から上向きに複数の音程が音程セットとして選択され、各音程の間隔はよく知られた音階に対応する規則性を有するものではなく、選択された各音程に対応する指板の押さえ位置に、バイオリン族の弦楽器の弦の方向に直交する帯状の音程表示領域が形成されているため、音程表示領域の距離間隔に音階を想起させる規則性が認められない。そして、音程表示領域は指板とは色彩が異なる構成とされているので、音程表示領域を目視により識別することができる。
ここで、音程表示領域の距離間隔に音階を想起させる規則性が無いため、音程表示領域は観客等には指板に施された装飾的な縞模様と映り、音程を示す印であるとは認識されない。一方、音程表示領域の距離間隔に音階を想起させる規則性が無いため、演奏者には個々の音程表示領域の識別が可能となり、演奏者は一瞥により所定の音程に対応した指板の押さえ位置を確認することができる。
そして、音程表示領域の表面は指板の表面に対して面一の構成とされているので、音程表示領域に指が引っかかることがない。そのため、指先を弦の上で滑らせて指板に対して指先を素早く動かすことが必要とされるバイオリン族の弦楽器の演奏に支障が生じないので、音程表示領域が形成された指板を備えるバイオリン族の弦楽器は、正式のバイオリン族の弦楽器として認められる。
【００１３】
そして、音程セットには、開放弦の音高からの音程が１オクターブ上及び２オクターブ上となる音程は必ず含まれており、開放弦の音高からオクターブ単位で上の音程に対応する指板の押さえ位置には他の音程表示領域よりも幅広の音程表示領域が形成されている。よって、開放弦の音高からオクターブ単位で上の指板の押さえ位置が容易に把握できるため、これを目印として、他の音程表示領域の音程の把握も容易となる。
【００１４】
次に、本発明の第２の発明は、上記第１の発明に係るバイオリン族の弦楽器の指板であって、
前記音程セットとして選択された音程の数は９個であり、該音程セットを構成する音程は開放弦の音高からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、（完全８度＋完全５度）上もしくは（完全８度＋減６度）上の音程、及び（完全８度＋増７度）上もしくは２オクターブ上の音程であり、
前記音程表示領域は、前記音程セットの各音程において選択可能な２つの音程のそれぞれに対応する指板の押さえ位置の双方を含んだ幅で構成されている。
【００１５】
この第２の発明によれば、音程セットとして選択された９個の音程は各音程の間隔がよく知られた音階に対応する規則性を有するものではないので、各音程に対応する指板の押さえ位置に形成される音程表示領域は、指板上で距離間隔に音階を想起させる規則性がない縞模様を形成する。よって、音程表示領域は観客等には指板に施された装飾的な縞模様と映り、音程を示す印であるとは認識されない。
そして、これら９個の音程からなる音程セットは、発明者がバイオリン族の弦楽器の特性に鑑みて厳選して選択したものであって、演奏者は、指板を一瞥するだけで、９個の音程に対応する指板の押さえ位置を確認することができ、バイオリン族の楽器の演奏において、正確な音程を取れるようになる。そして、演奏者はいつでも９個の音程に対応する指押さえ位置を目視により確認できるため心理的に安心感をもつことができる。
【００１６】
【発明の効果】
【００１７】
上述の本発明によれば、バイオリン族の弦楽器について、観客等には音程を示す印であるとは認識されず、演奏者は一瞥により所定の複数の音程に対応する印であることを識別でき、バイオリン族の弦楽器の演奏に支障が生じず、正式のバイオリン族の弦楽器と認められる態様の、音程を示す印を付した指板を提供することができる。
【発明を実施するための最良の形態】
【００１８】
以下、本発明を実施するための最良の形態について実施例にしたがって説明する。
【００１９】
図１に本発明の一実施例における指板１０を備えたバイオリン５０の平面図を示す。図１に示すとおり、指板１０には音程表示領域２０Ａ、２０Ｂ、２０Ｃ、２０Ｄ、２０Ｅ、２０Ｆ、２０Ｇ、２０Ｈが形成されている。これら８個の音程表示領域は、音程の間隔が一定でない８個の音程から成る音程セットとして発明者が選択した各音程に対応する指板１０の指押さえ位置に形成されたものである。表１に音程セットとして選択した音程の個々について指板１０のどの指押さえ位置に該当するかの対応関係を示す。例えば、長６度上なら２０Ｄの内部に、減７度上でも同じく２０Ｄの内部に、という具合に対応する。もちろんこの両者は全く同じ点を押さえるわけではない。なお、表１の各音程の欄には音程の名前が２つ書いてあるが、この２つの音程の間には、一般に「微分音」分の音程差がある。この微小音程は、どの調律を選択するかにより変動する。
【表１】
2010078656.tif 000009
【００２０】
図２（Ａ）〜図２（Ｈ）に、上記８個の音程から成る音程セットを「Ｌａの弦」について記譜したものを示す。図２（Ａ）〜図２（Ｈ）には各々２つの音符が記譜されているが、これらの２つの音符は、表１の２つの音程表記分をＬａに加算したものに対応し、これら２つの音符の間には、上述の「微分音」分の音程差がある。
図２（Ａ）に記譜された音符の音程に対応する指板１０の押さえ位置が音程表示領域２０Ａであり、符号のＡ〜Ｈにより図面の記譜と音程表示領域がそれぞれ対応する。音程セットで選択した表１の各行の音程は上述のとおり「微分音」分の音程差がある２つの音程が対応しているので、音程表示領域２０Ａ〜２０Ｈは、２つの音程に対応する指板１０の押さえ位置を領域内部に含むように指板１０上の配置位置が決定される。
【００２１】
図３に、音程表示領域２０Ａ〜２０Ｈの指板１０上の寸法による位置を示す。この寸法は表１に示した音程セットの各音程に対応する指板１０の押さえ位置に音程表示領域２０Ａ〜２０Ｈを形成した一実施例における数値であり、寸法の単位はｍｍである。上駒１２と音程表示領域２０Ａの間隔は３３ｍｍである。そして、音程表示領域は原則として弦に直交する方向に２ｍｍの幅を有している。但し、開放弦の音高から１オクターブ上もしくは増７度上の音程に対応する音程表示領域２０Ｅの幅は４ｍｍとされている。開放弦の音高から１オクターブ上もしくは増７度上の音程に対応する音程表示領域２０Ｅの幅を他の２倍としているため、目視による一瞥で各音程表示領域がどの音程に対応するかの把握がしやすくなっている。
なお、音程表示領域２０Ａ〜２０Ｈの位置は、選択した音程に対応する指板の押さえ位置を聴覚または音の周波数を表示できる機器により決める性質のものである。演奏者の好みの調律によっては、２つの音程に対応する指板１０の押さえ位置が、すなわち、微分音程差が２ｍｍの幅に収まらない場合もある。そのときは、２ｍｍとした音程表示領域の幅を広げ、これらとの幅の違いが一瞥してわかる程度に４ｍｍとした音程表示領域の幅を広げても良い。
【００２２】
指板１０は茶褐色の木材で形成されている。そして、音程表示領域２０Ａ〜２０Ｈは、指板１０と材質および触感が同一で色彩が指板１０よりも明るい木製の板材を指板１０にはめ込んだはめ木細工により形成されている。そして、指板１０は、音程表示領域２０Ａ〜２０Ｈの表面が指板１０の表面に対して面一の構成に仕上げられている。なお、音程表示領域のはめ込みの深さは一実施例では２ｍｍとしている。
【００２３】
この一実施例によれば、各音程の間隔が一定でなく、よく知られた音階に対応する規則性を有さない８個の音程が音程セットとして選択され、選択された各音程に対応する指板１０の押さえ位置に、バイオリン５０の弦の方向に直交する帯状の音程表示領域２０Ａ〜２０Ｈが形成されている。そして、図１に示すとおり、音程表示領域の距離間隔に音階を想起させる規則性が認められない。そして、音程表示領域２０Ａ〜２０Ｈは指板１０とは色彩が異なる構成とされており、音程表示領域２０Ａ〜２０Ｈを目視により識別することができる。そのため、音程表示領域２０Ａ〜２０Ｈは観客等には指板１０に施された装飾的な縞模様と映り、音程を示す印であるとは認識されない。一方、演奏者は、音程表示領域２０Ａ〜２０Ｈを所定の音程に対応した指板１０の押さえ位置の目印として利用することができる。
そのため、演奏者が演奏中に何らかのアクシデントで音をはずした場合、一瞬目を指板１０にやるだけで、直ちにまた正確な音がとれるようになる。そして、それ故に指板１０に音程表示領域２０Ａ〜２０Ｈが形成されたバイオリン５０を弾いているというだけで、心理的な安心感を持つことができる。また、音程表示領域２０Ａ〜２０Ｈは、観客等には指板１０の風変わりな模様としか映らないため、心理的な抵抗感は生じない。
【００２４】
そして、音程表示領域２０Ａ〜２０Ｈの表面は指板の表面に対して面一の構成とされているので、音程表示領域２０Ａ〜２０Ｈに指が引っかかることがない。そのため、指先を弦の上で滑らせて指板１０に対して指先を素早く動かすことが必要とされるバイオリン５０の演奏に支障を生じない。
そして、音程表示領域２０Ａ〜２０Ｈの表面は指板の表面に対して面一の構成とされ、音程表示領域２０Ａ〜２０Ｈは指板と同質で色が異なる素材で形成されている。そのため、音程表示領域２０Ａ〜２０Ｈが形成された指板１０は通常の指板に比べて音程表示領域２０Ａ〜２０Ｈにより模様が形成さているに過ぎない。よって、音程表示領域２０Ａ〜２０Ｈが形成された指板１０を備えるバイオリン５０は、正式のバイオリンと認めることができるものである。
【００２５】
そして、音程表示領域２０Ａ〜２０Ｈは指板１０と同質の素材で形成されているので、音程表示領域２０Ａ〜２０Ｈは指板上で触感によっては識別されず、指板１０に対して指先をすばやく動かす時に異物感がない。
【００２６】
一実施例では、８個の音程を音程セットとして選択して、指板１０に音程表示領域２０Ａ〜２０Ｈを形成したが、さらに、開放弦の音高から（完全８度＋増７度）上または２オクターブ上の音程を追加選択してもよい。図４に、この追加選択した音程に対応する指板の押さえ位置に音程表示領域２０Ｉを追加形成した指板１０Ａを備えるバイオリン５０Ａの平面図を示す。そして、図５に開放弦の音高から（完全８度＋増７度）上または２オクターブ上の音程に対応する音符を「Ｌａの弦」について記譜したものを示す。
音程表示領域２０Ｉは、音程表示領域２０Ｈとの間隔が２６ｍｍとされ、音程表示領域２０Ｉの弦方向の幅は４ｍｍとされている。このように、開放弦の音高からオクターブ単位で上の音程に対応する音程表示領域を他の音程表示領域よりも幅広にすることにより、指板の押さえ位置の把握が一層容易となる。
【００２７】
上述の一実施例では、指板１０と触感が同一で色彩が異なる音程表示領域２０Ａ〜２０Ｈを寄せ木細工により形成したが、音程表示領域２０Ａ〜２０Ｈの形成方法は寄せ木細工に限られない。通常の指板について、音程表示領域に相当する範囲のみを露出して紫外線等の照射により音程表示領域を脱色することで指板と異なる色彩の音程表示領域を形成することもできる。また、通常の指板の音程表示領域に相当する範囲を覆って指板全体に紫外線等を照射して、指板と色彩の異なる音程表示領域を形成することもできる。また、水性又は油性のマジックペン等で指板の音程表示領域に相当する範囲を着色しても良いし、指板の音程表示領域に相当する範囲以外を着色しても良い。
【００２８】
上述の一実施例では音程表示領域に指板と同質の素材を用いて触感まで同一としている。しかし、触感まで同一でなくても、音程表示領域の表面が指板の表面に対して面一の構成であれば、バイオリンの演奏には支障がないので、正式のバイオリンとして認められる。そこで、指板と色彩の異なる材料を埋め込んで音程表示領域を形成する場合は、埋め込む材料は指板と同質でなくても良い。指板が木材の場合にはめ込む材料としては、木材の他に、牛の骨、貝殻、石、プラスチック等を用いることができる。
また、指板の音程表示領域に相当する範囲に極細の径のドリルで多数の微小な孔を空けて、その孔にチョーク等の粉を詰め込んで音程表示領域を形成することもできる。
【００２９】
上述の一実施例では、バイオリンの指板に対して選択する８個の音程を示したが、これらの８個の音程は、バイオリン族の弦楽器である、バイオリン、ビオラ、チェロについて共通して選択される音程である。なお、弦楽器の種類によって指板のサイズがある定数倍になるので、選択された音程に対応する音程表示領域が形成される位置の間隔は異なってくる。また、音程表示領域の幅は弦楽器の大きさに対応させて広くしてもよい。
【００３０】
発明者は、一実施例で示した８個の音程に対応させて形成した音程表示領域を、尾形ダイアグラムと名付けている。そして、指板に尾形ダイアグラムが付されたバイオリン族の弦楽器を、尾形ダイアグラム付バイオリン、尾形ダイアグラム付ビオラ、尾形ダイアグラム付チェロと呼んでいる。
尾形ダイアグラムは、上述のとおり、観客等には風変わりな模様に見え、演奏者には所定の音程に対する指板の押さえ位置を的確に示すものである。そして、指板と面一のため演奏に支障が生じることが無く、バイオリン族の弦楽器の演奏を習得する人や、バイオリン族の弦楽器を演奏する人の助けとなるものである。
【００３１】
その他、本発明に係るバイオリン族の弦楽器の指板はその発明の思想の範囲で、各種の形態で実施できるものである。
【図面の簡単な説明】
【００３２】
【図１】一実施例における指板を備えたバイオリンの平面図である。
【図２】一実施例における指板について選択された音程を「Ｌａの弦」について記譜した図である。
【図３】一実施例における指板の音程表示領域の指板上での寸法位置を示す図である。
【図４】変形実施例における指板を備えたバイオリンの平面図である。
【図５】変形実施例で追加した音程を「Ｌａの弦」について記譜した図である。
【符号の説明】
【００３３】
１０、１０Ａ  指板
１２   上駒
２０Ａ、２０Ｂ、２０Ｃ、２０Ｄ     音程表示領域
２０Ｅ、２０Ｆ、２０Ｇ、２０Ｈ     音程表示領域
２０Ｉ 音程表示領域
５０、５０Ａ  バイオリン
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
バイオリン族の弦楽器の指板であって、
開放弦の音高から上向きに９個の音程対が音程セットとして選択され、
前記音程対は微分音分の音程差を有し、いずれか一方が選択される２つの音程から構成されており、
前記音程セットを構成する音程対は開放弦の音高からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、（完全８度＋完全５度）上もしくは（完全８度＋減６度）上の音程、及び（完全８度＋増７度）上もしくは２オクターブ上の音程であり、
前記音程セットの各音程対に対応させて、各音程対を構成する２つの音程のそれぞれに対応する指板の押さえ位置の双方を含んだ幅で、バイオリン族の弦楽器の弦の方向に直交する向きに、帯状の音程表示領域が形成されており、
前記音程表示領域は指板とは色彩が異なる構成とされ、該音程表示領域を目視により識別することができ、該音程表示領域の表面は指板の表面に対して面一の構成とされており、
開放弦の音高から増７度上もしくは完全８度上、及び、（完全８度＋増７度）上もしくは２オクターブ上となる音程対に対応する音程表示領域は、他の音程表示領域よりも幅広に形成されているバイオリン族の弦楽器の指板。
【手続補正２】
【補正対象書類名】明細書
【補正対象項目名】全文
【補正方法】変更
【補正の内容】
【発明の詳細な説明】
【技術分野】
【０００１】
この発明はバイオリン族の弦楽器の指板に関する。さらに詳しくは、バイオリン族の弦楽器の指板であって、所定の数の音程に対応する指板の押さえ位置を目視により識別できる音程表示領域が形成された指板に関する。
本明細書では、「音程」の語は、「開放弦の音を５線上に記譜した時の音符からの隔たりを示すため、その音符から上方に向かって数えた到達点の音符までの音程」すなわち、開放弦の音高と所定の音高の、音の高さの間隔の意で用いる。よって、ある音程を特定すれば、開放弦の音高を基準として、その音程に対応する音高が決まる関係にある。そして、微分音分の音程差を有し、いずれか一方が選択される２つの音程を音程対と呼ぶ。
【背景技術】
【０００２】
バイオリン、ビオラ等の弦楽器は、滑らかでフレットのない指板を備えている。これらのフレットのない弦楽器の演奏を習得する場合の本質的な困難さとして、所望の音程の音を出すために、指板のどの位置で弦を押さえれば良いかを示す印がないことが挙げられる。そのため、弦を指で正しく押さえて所望の音程の音を正確に出すことができるようになるためには相当の練習を重ねることが必要となる場合がある。
【０００３】
ところで、ギターやマンドリン等のフレット付きの弦楽器では、弦がフレットの縁部に接触するように弦を指板に押さえ付けることで所望の音程の音を正確に出すことができる。そのため所望の音程の音を正確に出すことに特別の困難さはない。そこで、ギター等に用いられるフレットと同様のフレットをバイオリン等のフレットのない弦楽器の指板に指板の押さえ位置の印として付加すれば、弦を指で押さえる位置の把握が容易となる。
【０００４】
しかし、ギター等に用いられるフレットは、弦をフレットの縁部に接触するように押さえ付けて振動する弦の端点をフレットが形成された固定位置とする方式で使用されるため、フレットが指板から突起した構造となっている。一方、バイオリン等のフレットのない弦楽器は、通常は、指先を弦の上で滑らせて指板に対して指先を素早く動かす形態で演奏されるため、指板から突起したフレットは演奏の障害となってしまう。
【０００５】
そこで、ギター等に用いられるフレットとは異なる構成によって、バイオリンに対する指板の押さえ位置を識別させる方法が提案されている。
例えば、特開平７−５８７１号公報（特許文献１）には、バイオリンの指板の指押さえ点に対応して指板に配置された複数の立ち上がり演奏領域を備えたバイオリンの指板が記載されている。特許文献１に記載の立ち上がり演奏領域は弦の下に位置する指板の表面から０．５ミリ程度の高さとされ、弦の方向の幅が数ミリ程度とされている。そのため、立ち上がり演奏領域の指への引っかかりが少ない。そこで、演奏者は、バイオリンの滑らかな指板上で従来弦を指で押さえていたのと実質上同じ態様で、立ち上がり演奏領域の頂部を指で押さえることができる。そして、指を立ち上がり演奏領域に交差して指板上で動かすことができるので、演奏者はビブラートを従来と同様の態様で演奏することができるというものである。
【０００６】
また、米国特許第１，１２６，９５７号（特許文献２）には、バイオリンの指板の表面と面一を成し、視覚及び触覚により識別が可能な指位置指示器が記載されている。特許文献２に記載の指位置指示器は、骨材で構成された細長い部材が、表面が指板と面一になるように指板に埋め込まれたものであって、指板と色彩が異なるために視覚による識別が可能とされている。また、指位置指示器は指板と材質が異なるため触感が異なるので触覚によっても識別が可能とされている。そして、特許文献２の指位置指示器は指板と面一の構成であるため、指先を弦の上で滑らせて指板に対して指先を素早く動かす演奏形態に対して支障がないものと考えられる。
【特許文献１】特開平７−５８７１号公報
【特許文献２】米国特許第１，１２６，９５７号
【発明の開示】
【発明が解決しようとする課題】
【０００７】
しかしながら、特許文献１に記載の立ち上がり演奏領域は、指板上に突起が形成されていることには変わりがなく、指先を指板上で素早く動かす演奏形態に支障となると考えられる。よって、立ち上がり演奏領域を指板に備えたバイオリンは、もはや正式のバイオリンとは言えないであろう。そのため、練習用に使用することはできるとしても、コンクールや実技試験で使用することは認められないであろう。
【０００８】
そして、特許文献１に記載の立ち上がり演奏領域は２オクターブにわたって半音音階の２４音に対応した指板の押さえ位置に設けられており、立ち上がり演奏領域の距離間隔が駒側に向かって徐々に狭くなるという規則性が認められる。そのため、観客等に、立ち上がり演奏領域が音程を示す印であることが判ってしまう。また、特許文献２に記載の指位置指示器についても、指位置指示器の距離間隔が駒側に向かって徐々に狭くなるという規則性から、指位置指示器が音程を示す印であることが判ってしまう。そして、特許文献２の指位置指示器は視覚により指板との識別が可能な態様であるため目立ちやすい。そのため、従来技術では、演奏者に、音程を示す印は使いたいが、観客等には音程を示す印を使っていることは知られたくないというジレンマが生じる。
【０００９】
また、特許文献１の立ち上がり演奏領域も、特許文献２の指位置指示器も、音程を示す印の数が２０個以上と多く、距離間隔に規則性があり、印間の幅は規則的に狭くなるかまたは同一と見えてしまうような幅とされている。そのため、どの印がどの音程に対応するものであるかを一瞥で識別することが困難なこともある。
【００１０】
そこで、本発明が解決しようとする課題は、バイオリン族の弦楽器について、観客等には音程を示す印であるとは認識されず、演奏者は一瞥により所定の音程に対応する印であることを識別でき、バイオリン族の弦楽器の演奏に支障が生じず、正式のバイオリン族の弦楽器と認められる態様の、音程を示す印を付した指板を提供することである。
【課題を解決するための手段】
【００１１】
上記課題を解決するため、本発明に係るバイオリン族の弦楽器の指板は次の手段をとる。
まず、本発明の第１の発明は、バイオリン族の弦楽器の指板であって、
開放弦の音高から上向きに９個の音程対が音程セットとして選択され、
前記音程対は微分音分の音程差を有し、いずれか一方が選択される２つの音程から構成されており、
前記音程セットを構成する音程対は開放弦の音高からそれぞれ、
長２度上もしくは減３度上の音程、長３度上もしくは減４度上の音程、完全５度上もしくは減６度上の音程、長６度上もしくは減７度上の音程、増７度上もしくは完全８度上の音程、（完全８度＋長２度）上もしくは（完全８度＋減３度）上の音程、（完全８度＋増３度）上もしくは（完全８度＋完全４度）上の音程、（完全８度＋完全５度）上もしくは（完全８度＋減６度）上の音程、及び（完全８度＋増７度）上もしくは２オクターブ上の音程であり、
前記音程セットの各音程対に対応させて、各音程対を構成する２つの音程のそれぞれに対応する指板の押さえ位置の双方を含んだ幅で、バイオリン族の弦楽器の弦の方向に直交する向きに、帯状の音程表示領域が形成されており、
前記音程表示領域は指板とは色彩が異なる構成とされ、該音程表示領域を目視により識別することができ、該音程表示領域の表面は指板の表面に対して面一の構成とされており、
開放弦の音高から増７度上もしくは完全８度上、及び、（完全８度＋増７度）上もしくは２オクターブ上となる音程対に対応する音程表示領域は、他の音程表示領域よりも幅広に形成されている。
【００１２】
この発明によれば、開放弦の音高から上向きに９個の音程対が音程セットとして選択され、音程対は微分音分の音程差を有し、いずれか一方が選択される２つの音程から構成されており、各音程対間の間隔は一定ではなく、選択された各音程対に対応する指板の押さえ位置に、バイオリン族の弦楽器の弦の方向に直交する帯状の音程表示領域が形成されているため、音程表示領域の距離間隔に音階を想起させる規則性が認められない。そして、音程表示領域は指板とは色彩が異なる構成とされているので、音程表示領域を目視により識別することができる。
ここで、音程表示領域の距離間隔に音階を想起させる規則性が無いため、音程表示領域は観客等には指板に施された装飾的な縞模様と映り、音程を示す印であるとは認識されない。一方、音程表示領域の距離間隔に音階を想起させる規則性が無いため、演奏者には個々の音程表示領域の識別が可能となり、演奏者は一瞥により所定の音程に対応した指板の押さえ位置を確認することができる。
そして、音程表示領域の表面は指板の表面に対して面一の構成とされているので、音程表示領域に指が引っかかることがない。そのため、指先を弦の上で滑らせて指板に対して指先を素早く動かすことが必要とされるバイオリン族の弦楽器の演奏に支障が生じないので、音程表示領域が形成された指板を備えるバイオリン族の弦楽器は、正式のバイオリン族の弦楽器として認められる。
【００１３】
そして、開放弦の音高から増７度上もしくは完全８度上、及び、（完全８度＋増７度）上もしくは２オクターブ上となる音程対に対応する指板の押さえ位置には他の音程表示領域よりも幅広の音程表示領域が形成されている。よって、開放弦の音高からオクターブ単位で上の指板の押さえ位置が容易に把握できるため、これを目印として、他の音程表示領域の音程の把握も容易となる。
そして、これら９個の音程対からなる音程セットは、発明者がバイオリン族の弦楽器の特性に鑑みて厳選して選択したものであって、演奏者は、指板を一瞥するだけで、９個の音程対に対応する指板の押さえ位置を確認することができ、バイオリン族の楽器の演奏において、正確な音程を取れるようになる。そして、演奏者はいつでも９個の音程対に対応する指押さえ位置を目視により確認できるため心理的に安心感をもつことができる。
【００１４】
【００１５】
【００１６】
【発明の効果】
【００１７】
上述の本発明によれば、バイオリン族の弦楽器について、観客等には音程を示す印であるとは認識されず、演奏者は一瞥により所定の複数の音程に対応する印であることを識別でき、バイオリン族の弦楽器の演奏に支障が生じず、正式のバイオリン族の弦楽器と認められる態様の、音程を示す印を付した指板を提供することができる。
【発明を実施するための最良の形態】
【００１８】
以下、本発明を実施するための最良の形態について実施例にしたがって説明する。
【００１９】
図１に本発明の一実施例における指板１０を備えたバイオリン５０の平面図を示す。図１に示すとおり、指板１０には音程表示領域２０Ａ、２０Ｂ、２０Ｃ、２０Ｄ、２０Ｅ、２０Ｆ、２０Ｇ、２０Ｈが形成されている。これら８個の音程表示領域は、音程の間隔が一定でない８個の音程対から成る音程セットとして発明者が選択した各音程対に対応する指板１０の指押さえ位置に形成されたものである。表１に音程セットとして選択した音程対の個々について指板１０のどの指押さえ位置に該当するかの対応関係を示す。例えば、長６度上なら２０Ｄの内部に、減７度上でも同じく２０Ｄの内部に、という具合に対応する。もちろんこの両者は全く同じ点を押さえるわけではない。なお、表１の各音程の欄には音程の名前が２つ書いてあるが、この２つの音程の間には、一般に「微分音」分の音程差がある。この微小音程は、どの調律を選択するかにより変動する。
【表１】
2010078656.tif 000010
【００２０】
図２（Ａ）〜図２（Ｈ）に、上記８個の音程対から成る音程セットを「Ｌａの弦」について記譜したものを示す。図２（Ａ）〜図２（Ｈ）には各々２つの音符が記譜されているが、これらの２つの音符は、表１の２つの音程表記分をＬａに加算したものに対応し、これら２つの音符の間には、上述の「微分音」分の音程差がある。そして、表１において並記された音程は実際の楽譜を見ることによって、どちらが該当しているのかがわかる。
図２（Ａ）に記譜された２つの音符の音程に対応する指板１０の押さえ位置が音程表示領域２０Ａであり、符号のＡ〜Ｈにより図面の記譜と音程表示領域がそれぞれ対応する。音程セットで選択した表１の各行の音程は上述のとおり「微分音」分の音程差がある２つの音程が対応しているので、音程表示領域２０Ａ〜２０Ｈは、２つの音程に対応する指板１０の押さえ位置を領域内部に含むように指板１０上の配置位置が決定される。
【００２１】
図３に、音程表示領域２０Ａ〜２０Ｈの指板１０上の図２に記載の全ての音符が対応する位置を示す。そして、音程表示領域は原則として弦に直交する方向に２ｍｍの幅を有している。但し、開放弦の音高から増７度上もしくは完全８度上の音程対に対応する音程表示領域２０Ｅの幅は４ｍｍとされている。開放弦の音高から増７度上もしくは完全８度上の音程対に対応する音程表示領域２０Ｅの幅を他の２倍としているため、目視による一瞥で各音程表示領域がどの音程に対応するかの把握がしやすくなっている。
なお、音程表示領域２０Ａ〜２０Ｈの位置は、選択した音程対に対応する指板の押さえ位置を聴覚または音の周波数を表示できる機器により決める性質のものである。演奏者の好みの調律によっては、２つの音程に対応する指板１０の押さえ位置が、すなわち、微分音程差が２ｍｍの幅に収まらない場合もある。そのときは、２ｍｍとした音程表示領域の幅を広げ、これらとの幅の違いが一瞥してわかる程度に４ｍｍとした音程表示領域の幅を広げても良い。
【００２２】
指板１０は茶褐色の木材で形成されている。そして、音程表示領域２０Ａ〜２０Ｈは、指板１０と材質および触感が同一で色彩が指板１０よりも明るい木製の板材を指板１０にはめ込んだはめ木細工により形成されている。そして、指板１０は、音程表示領域２０Ａ〜２０Ｈの表面が指板１０の表面に対して面一の構成に仕上げられている。なお、音程表示領域のはめ込みの深さは一実施例では２ｍｍとしている。
【００２３】
この一実施例によれば、各音程対間の間隔が一定でない、８個の音程対が音程セットとして選択され、選択された各音程対に対応する指板１０の押さえ位置に、バイオリン５０の弦の方向に直交する帯状の音程表示領域２０Ａ〜２０Ｈが形成されている。そして、図１に示すとおり、音程表示領域の距離間隔に音階を想起させる規則性が認められない。そして、音程表示領域２０Ａ〜２０Ｈは指板１０とは色彩が異なる構成とされており、音程表示領域２０Ａ〜２０Ｈを目視により識別することができる。そのため、音程表示領域２０Ａ〜２０Ｈは観客等には指板１０に施された装飾的な縞模様と映り、音程を示す印であるとは認識されない。一方、演奏者は、音程表示領域２０Ａ〜２０Ｈを所定の音程に対応した指板１０の押さえ位置の目印として利用することができる。
そのため、演奏者が演奏中に何らかのアクシデントで音をはずした場合、一瞬目を指板１０にやるだけで、直ちにまた正確な音がとれるようになる。そして、それ故に指板１０に音程表示領域２０Ａ〜２０Ｈが形成されたバイオリン５０を弾いているというだけで、心理的な安心感を持つことができる。また、音程表示領域２０Ａ〜２０Ｈは、観客等には指板１０の風変わりな模様としか映らないため、心理的な抵抗感は生じない。
【００２４】
そして、音程表示領域２０Ａ〜２０Ｈの表面は指板の表面に対して面一の構成とされているので、音程表示領域２０Ａ〜２０Ｈに指が引っかかることがない。そのため、指先を弦の上で滑らせて指板１０に対して指先を素早く動かすことが必要とされるバイオリン５０の演奏に支障を生じない。
そして、音程表示領域２０Ａ〜２０Ｈの表面は指板の表面に対して面一の構成とされ、音程表示領域２０Ａ〜２０Ｈは指板と同質で色が異なる素材で形成されている。そのため、音程表示領域２０Ａ〜２０Ｈが形成された指板１０は通常の指板に比べて音程表示領域２０Ａ〜２０Ｈにより模様が形成さているに過ぎない。よって、音程表示領域２０Ａ〜２０Ｈが形成された指板１０を備えるバイオリン５０は、正式のバイオリンと認めることができるものである。
【００２５】
そして、音程表示領域２０Ａ〜２０Ｈは指板１０と同質の素材で形成されているので、音程表示領域２０Ａ〜２０Ｈは指板上で触感によっては識別されず、指板１０に対して指先をすばやく動かす時に異物感がない。
【００２６】
一実施例では、８個の音程対を音程セットとして選択して、指板１０に音程表示領域２０Ａ〜２０Ｈを形成したが、さらに、開放弦の音高から（完全８度＋増７度）上または２オクターブ上の音程対を追加選択してもよい。図４に、この追加選択した音程対に対応する指板の押さえ位置に音程表示領域２０Ｉを追加形成した指板１０Ａを備えるバイオリン５０Ａの平面図を示す。そして、図５に開放弦の音高から（完全８度＋増７度）上または２オクターブ上の音程に対応する音符を「Ｌａの弦」について記譜したものを示す。
音程表示領域２０Ｉの弦方向の幅は４ｍｍとされている。このように、開放弦の音高から（完全８度＋増７度）上もしくは２オクターブ上の音程対に対応する音程表示領域を他の音程表示領域よりも幅広にすることにより、指板の押さえ位置の把握が一層容易となる。
【００２７】
上述の一実施例では、指板１０と触感が同一で色彩が異なる音程表示領域２０Ａ〜２０Ｈを寄せ木細工により形成したが、音程表示領域２０Ａ〜２０Ｈの形成方法は寄せ木細工に限られない。通常の指板について、音程表示領域に相当する範囲のみを露出して紫外線等の照射により音程表示領域を脱色することで指板と異なる色彩の音程表示領域を形成することもできる。また、通常の指板の音程表示領域に相当する範囲を覆って指板全体に紫外線等を照射して、指板と色彩の異なる音程表示領域を形成することもできる。また、水性又は油性のマジックペン等で指板の音程表示領域に相当する範囲を着色しても良いし、指板の音程表示領域に相当する範囲以外を着色しても良い。
【００２８】
上述の一実施例では音程表示領域に指板と同質の素材を用いて触感まで同一としている。しかし、触感まで同一でなくても、音程表示領域の表面が指板の表面に対して面一の構成であれば、バイオリンの演奏には支障がないので、正式のバイオリンとして認められる。そこで、指板と色彩の異なる材料を埋め込んで音程表示領域を形成する場合は、埋め込む材料は指板と同質でなくても良い。指板が木材の場合にはめ込む材料としては、木材の他に、牛の骨、貝殻、石、プラスチック等を用いることができる。
また、指板の音程表示領域に相当する範囲に極細の径のドリルで多数の微小な孔を空けて、その孔にチョーク等の粉を詰め込んで音程表示領域を形成することもできる。
【００２９】
上述の一実施例では、バイオリンの指板に対して選択する８個の音程対を示したが、これらの８個の音程対は、バイオリン族の弦楽器である、バイオリン、ビオラ、チェロについて共通して選択される音程対である。なお、弦楽器の種類によって指板のサイズがある定数倍になるので、選択された音程対に対応する音程表示領域が形成される位置の間隔は異なってくる。また、音程表示領域の幅は弦楽器の大きさに対応させて広くしてもよい。
【００３０】
発明者は、一実施例で示した８個の音程対に対応させて形成した音程表示領域を、尾形ダイアグラムと名付けている。そして、指板に尾形ダイアグラムが付されたバイオリン族の弦楽器を、尾形ダイアグラム付バイオリン、尾形ダイアグラム付ビオラ、尾形ダイアグラム付チェロと呼んでいる。
尾形ダイアグラムは、上述のとおり、観客等には風変わりな模様に見え、演奏者には所定の音程に対する指板の押さえ位置を的確に示すものである。そして、指板と面一のため演奏に支障が生じることが無く、バイオリン族の弦楽器の演奏を習得する人や、バイオリン族の弦楽器を演奏する人の助けとなるものである。
【００３１】
その他、本発明に係るバイオリン族の弦楽器の指板はその発明の思想の範囲で、各種の形態で実施できるものである。
【図面の簡単な説明】
【００３２】
【図１】一実施例における指板を備えたバイオリンの平面図である。
【図２】一実施例における指板について選択された音程を「Ｌａの弦」について記譜した図である。
【図３】一実施例における指板の音程表示領域での図２の音符の分布を示す図である。
【図４】変形実施例における指板を備えたバイオリンの平面図である。
【図５】変形実施例で追加した音程を「Ｌａの弦」について記譜した図である。
【符号の説明】
【００３３】
１０、１０Ａ  指板
１２   上駒
２０Ａ、２０Ｂ、２０Ｃ、２０Ｄ     音程表示領域
２０Ｅ、２０Ｆ、２０Ｇ、２０Ｈ     音程表示領域
２０Ｉ 音程表示領域
５０、５０Ａ  バイオリン
【手続補正３】
【補正対象書類名】図面
【補正対象項目名】図３
【補正方法】変更
【補正の内容】
【図３】
2010078656.tif 000011